(57)【特許請求の範囲】
【請求項１】
着座者の臀部後部を後方から支持する後側座部と、
該後側座部の前方側に設けられて前記着座者の臀部前部及び大腿部を支持する前側座部と、を備えた椅子の座部構造において、
前記後側座部を回動動作によって複数の位置に変位させて固定させる後側座部回動機構を備え、
該後側座部回動機構は、
前記前側座部の座幅方向両端に配置されて該前側座部が配置される椅子の座枠に固定される一対の固定部と、
前記後側座部の座幅方向両端で該後側座部の前後方向に伸長して該後側座部に取り付けられた一対の回動アームと、
該各回動アーム間で前記後側座部の座幅方向に伸長して架設される棒状の把持部と、を備え、
前記各固定部と前記各回動アームとがロック機構を介して取り付けられ、
該ロック機構は、
前記各固定部に対して前記各回動アームを回動可能とし、かつ該各回動アームを複数の位置で固定可能に形成され、
前記後側座部回動機構によって前記後側座部は、該後側座部の前側に設定された座幅方向の軸を中心として回動し、該回動した位置において固定可能に形成され、
前記前側座部は、座面高が該前側座部の後側から前側に移行するに従って漸次低下するように形成された、
ことを特徴とする椅子の座部構造。
【請求項２】
前記後側座部は、
座面が凹状に湾曲して形成されたことを特徴とする請求項１に記載の椅子の座部構造。
【発明の詳細な説明】
【技術分野】
【０００１】
本発明は、着座者の臀部及び大腿部を支持する椅子の座部構造に関する。
【背景技術】
【０００２】
椅子に座った状態で長時間の事務作業を継続的に行うことによって、腰痛を発症する場合がある。特に、パーソナルコンピュータの一般家庭への普及に伴って、一般家庭においても、椅子に座った状態で、パーソナルコンピュータを長時間に亘って継続的に使用することで腰痛を発症する場合もあり、近年における腰痛発症の増加の一因となっている。
【０００３】
このような腰痛が発症する仕組みの一例を、図６〜図９を用いて説明する。
【０００４】
図６は、着座前の立位姿勢の概要を説明する図である。図示のように、立位姿勢の場合は、腰椎１２２の形状の概略を示す腰椎形状ラインｘで示すように、人１１０の脊椎１２０の腰椎１２２は前彎し、脊椎１２０全体が略Ｓ字状になっている。このとき、腰椎１２２の構成の概略を説明する図９（ａ）で示すように、腰椎１２２を構成する椎骨１２２ａ間の椎間板１２４は、椎間板１２４にかかる負荷が少ない正常状態であり、椎骨１２２ａにかかる衝撃を適切に吸収する。
【０００５】
図７は、椅子に適正に着座した際の座位姿勢の概要を説明する図である。図示のように、背部１１４が前方に屈曲していない座位姿勢では、臀部１１２に位置する骨盤１１８の上部が後方に回転することが抑制され、腰椎形状ラインｘで示すように、骨盤１１８に連係する脊椎１２０の腰椎１２２が前彎している。
【０００６】
このとき、図９（ａ）で示すように、椎間板１２４は、椎骨１２２ａ間で圧迫されないで負荷が少ない正常状態に保持されており、腰痛等の発症を防ぐためには、この状態を保持することが望ましい。
【０００７】
図８は、不適正な座位姿勢の概要を説明する図である。図示のように、例えば長時間に亘る着座によって、背部１１４を椅子１００の背もたれ部１０４に支持させると、臀部筋群１１２ａの伸長及びハムストリングス１１６の伸長等によって、骨盤１１８の上部が矢線Ｄで示すように後方に回転することとなる。骨盤１１８の上部が後方に回転することによって、腰椎形状ラインｙで示すように、骨盤１１８に連係する脊椎１２０の腰椎１２２が後彎する。
【０００８】
このとき、図９（ｂ）で示すように、腰椎１２２を構成する椎骨１２２ａ間の椎間板１２４は、椎骨１２２ａ間で椎骨１２２ａによって圧迫されて負荷がかけられた状態となる。この状態が長時間に亘って継続すると腰痛が発症し、さらには、このような状態が長期的に継続すると椎間板１２４が変性し、椎間板ヘルニアの発症につながる可能性もある。このような状態を回避すべく、適正な座位姿勢を保持する椅子類が、種々存在している。
【０００９】
特許文献１には、着座者の臀部前部及び大腿部を支持する略水平の座面を有する前側着座面、及び前側着座面の後方に設けられて着座者の臀部後部を支持する後側着座面を備えた椅子が開示されている。
【００１０】
この特許文献１の椅子によれば、後側着座面が前側着座面に対して傾斜して設けられ、しかも傾斜角度を自在に変位させることができることから、着座者の骨盤角度と後側着座面との傾斜角度とが一致するように調整することができ、座り心地が向上する。
【００１１】
特許文献２には、着座者の臀部前部及び大腿部を支持しかつ前側が後側に対して持ち上げられたシートクッション前部、及びシートクッション前部の後方に設けられて着座者の臀部後部を支持するシートクッション後部を備えた車両用シートが開示されている。
【００１２】
この特許文献２の車両用シートによれば、シートクッション後部がシートクッション前部に対して傾斜して設けられ、しかも傾斜角度を自在に変位させることができることから、このシートクッション後部によって着座者の臀部の着座角度が変えられて、骨盤の後方回転が防止される。
【先行技術文献】
【特許文献】
【００１３】
【特許文献１】特開２００２−１１９３６９号公報
【特許文献２】特開平８−１２６５４８号公報
【発明の概要】
【発明が解決しようとする課題】
【００１４】
上記特許文献１の椅子によると着座者の座り心地が向上し、上記特許文献２によると骨盤の後方回転が防止される。
【００１５】
しかし、上記特許文献１の椅子によると、前側着座面の座面が略水平に構成されており、上記特許文献２の車両用シートによると、シートクッション前部の前側が後側に対して持ち上げられている。
【００１６】
従って、座位姿勢において、着座者の大腿部が前方に向かって略水平あるいは持ち上げられることとなり、着座者の上体の自然な前傾姿勢を得ることができないことから、骨盤上部の後方への回転を効果的に抑制することができない。その結果、脊椎の腰椎の理想的な前彎状態が得られないことが考えられる。
【００１７】
本発明は、上記課題に鑑みてなされたものであり、その目的は、骨盤上部の後方への回転を効果的に抑制して、骨盤に連係する脊椎の腰椎が前彎した座位姿勢を保持することのできる椅子の座部構造を提供することにある。
【課題を解決するための手段】
【００１８】
上記目的を達成するための請求項１に記載の発明は、着座者の臀部後部を後方から支持する後側座部と、該後側座部の前方側に設けられて前記着座者の臀部前部及び大腿部を支持する前側座部と、を備えた椅子の座部構造において、前記後側座部を回動動作によって複数の位置に変位させて固定させる後側座部回動機構を備え、該後側座部回動機構は、前記前側座部の座幅方向両端に配置されて該前側座部が配置される椅子の座枠に固定される一対の固定部と、前記後側座部の座幅方向両端で該後側座部の前後方向に伸長して該後側座部に取り付けられた一対の回動アームと、該各回動アーム間で前記後側座部の座幅方向に伸長して架設される棒状の把持部と、を備え、前記各固定部と前記各回動アームとがロック機構を介して取り付けられ、該ロック機構は、前記各固定部に対して前記各回動アームを回動可能とし、かつ該各回動アームを複数の位置で固定可能に形成され、前記後側座部回動機構によって前記後側座部は、該後側座部の前側に設定された座幅方向の軸を中心として回動し、該回動した位置において固定可能に形成され、前記前側座部は、座面高が該前側座部の後側から前側に移行するに従って漸次低下するように形成された、ことを特徴とする。
【００１９】
この構成によれば、着座状態では、着座者の臀部後部が後方から後側座部によって支持され、臀部前部及び大腿部が前側座部に支持される。このとき、後側座部によって臀部後部が押されて支持されることから、座位姿勢の変更が促されて、臀部に位置する骨盤の後方回転、すなわち骨盤上部が後方に回転することが抑制される。これにより、骨盤に連係する脊椎の腰椎が前彎した状態を保持することができる。
【００２０】
さらに、前側座部の座面は、座面高が前側座部の後側から前側に移行するに従って漸次低下して形成されていることから、座位姿勢において大腿部が前方に向かって傾斜することによって、着座者の上体の自然な前傾姿勢を得ることができる。
【００２１】
従って、上体が前傾した状態で、臀部後部が臀部後部の後方から押されて支持されることによって、骨盤上部の後方への回転を効果的に抑制することができる。そのうえ、後側座部の回動動作によって後側座部の固定位置を複数の位置に変位させて固定する後側座部回動機構を備えることから、着座者の体型あるいは体格に対応した臀部後部の支持を行うことができる。また、後側座部回動機構は、固定部に対して回動可能な回動アームを備え、この回動アームには棒状の把持部が設けられていることから、この把持部を把持することによって、着座したままの状態であっても後側座部を容易に回動させて複数の位置に変位させて固定させることができる。
【００２６】
請求項２に記載の発明は、請求項１に記載の椅子の座部構造において、前記後側座部は、座面が凹状に湾曲して形成されたことを特徴とする。
【００２７】
この構成によれば、着座者が着座した場合、後側座部によって臀部後部が押されて支持されても、後側座部の座面が凹状に湾曲して形成されていることから、臀部後部と座面とが良好に適合する。従って、着座時の違和感が緩和されて、良好な座り心地が確保される。
【発明の効果】
【００２８】
この発明によれば、後側座部によって臀部後部が後方から押されて支持されることで座位姿勢が整えられ、かつ座面高が前側座部の後側から前側に移行するに従って漸次低下して形成された前側座部によって、座位姿勢において、着座者の上体の自然な前傾姿勢を得ることができる。
【００２９】
従って、上体が前傾した状態で臀部後部の後方から臀部後部が押されて支持されることから、骨盤上部の後方への回転が効果的に抑制されて、骨盤に連係する脊椎の腰椎が前彎した状態を良好に保持することができる。
【００３０】
その結果、腰椎を構成する椎骨の間の椎間板にかかる負荷を抑制し、椎間板を正常状態に保持することができる。これにより、腰痛や椎間板ヘルニア等の腰部の不具合を抑制することができる。
【図面の簡単な説明】
【００３１】
【図１】本発明の実施の形態に係る椅子の座部構造の概略を説明する図である。
【図２】同じく、椅子の座部構造の概略を説明する図であり、（ａ）は座部構造を前面からみた図、（ｂ）は座部構造を裏面からみた図である。
【図３】本実施の形態に係る椅子の概略を説明する図である。
【図４】同じく、本実施の形態に係る椅子を下方からみた図である。
【図５】椅子に人が着座した場合の概略を説明する図である。
【図６】腰痛が発症する仕組みの一例を説明する、着座前の立位姿勢の概要を示す図である。
【図７】同じく、腰痛が発症する仕組みの一例を説明する、椅子に適正に着座した際の座位姿勢の概要を示す図である。
【図８】同じく、腰痛が発症する仕組みの一例を説明する、不適正な座位姿勢の概要を示す図である。
【図９】腰椎の構成の概略を説明する図であり、（ａ）は腰椎が前彎した状態の概略を示す図、（ｂ）は腰椎が後彎した状態の概略を示す図である。
【発明を実施するための形態】
【００３２】
次に、本発明の実施の形態について、図１〜図５に基づいて説明する。
【００３３】
図１は、本発明の実施の形態に係る椅子の座部構造の概略を説明する図である。図示のように、座部構造２０は、椅子１０の座部として用いられるものである。この座部構造２０は、着座者の臀部後部を支持する後側座部３０、及びこの後側座部３０の前方側、すなわち後側座部３０の前端３６側に設けられて着座者の臀部前部及び大腿部を支持する前側座部４０を備える。
【００３４】
なお、臀部後部は、座位姿勢の着座者の臀部における矢線Ｒで示す椅子１０の後方向側をさし、臀部前部は、座位姿勢の着座者の臀部における矢線Ｆで示す椅子１０の前方向側をさす。
【００３５】
後側座部３０は、この後側座部３０の前端３６の近傍、すなわち後側座部３０の前側に設定された座幅方向の軸を中心として回動し、回動した位置において固定可能に形成されており、前側座部４０は、この前側座部４０の座面４２ａの高さが、前側座部４０の後側である後端４４から前側である前端４６に移行するに従って漸次低下して形成されている。
【００３６】
座部構造２０は、更に、後側座部３０を回動させて複数の位置に変位させて固定させる後側座部回動機構５０を備える。この後側座部回動機構５０によって、後述するように、後側座部３０の前側において座幅方向の軸Ｏが設定される。
【００３７】
次に、本実施の形態における座部構造２０の各部の具体的構成について説明する。図２は、座部構造２０の概略を説明する図であり、（ａ）は座部構造２０を前面からみた図、（ｂ）は座部構造２０を裏面からみた図である。
【００３８】
図２（ａ）で示すように、後側座部３０は、例えば、図示しない平板状の基材が、発泡樹脂材料を発泡させたウレタンフォームによって形成されたパッドによって被覆されて形成される。この後側座部３０は、中央部分が凹状に湾曲して臀部後部に適合するように形成された座面３２ａを備える。すなわち、この座面３２ａは、臀部後部に倣った形状に形成されている。
【００３９】
前側座部４０は、例えば、図示しない平板状の基材が、発泡樹脂材料を発泡させたウレタンフォームによって形成されたパッドによって被覆されて形成される。この前側座部４０は、後端４４側から前端４６側に向かうに従って水平面から漸次下方に傾斜する座面４２ａを備える。
【００４０】
すなわち、この座面４２ａは、座面高が前側座部４０の後端４４から前端４６に移行するに従って漸次低下して形成されている。座面４２ａの傾斜は、本実施の形態では、水平面から２．５°以内に設定されている。
【００４１】
この座面４２ａは、中央部分が凹状に湾曲しており、臀部前部から大腿部に適合するように形成されている。座面４２ａは、前端４６から後端４４に亘る長さ（座面長）が、着座した際に人の臀部の下部に位置する坐骨結節部が乗る長さに設定されている。本実施の形態では、およそ３０４ｍｍ〜３８１ｍｍの範囲、好適には３４２ｍｍで座面長が設定されている。
【００４２】
図２（ｂ）で示すように、後側座部回動機構５０は、前側座部４０の下方で前側座部４０の座幅方向両端に配置されて前側座部４０の座面長方向に伸長する一対の固定部５２−１及び５２−２を備える。この各固定部５２−１及び５２−２には、一対の回動アーム５４−１及び５４−２が、一対のロック機構５６−１及び５６−２を介して各固定部５２−１及び５２−２に対して回動可能に軸支されている。すなわち、各回動アーム５４−１及び５４−２は、各ロック機構５６−１及び５６−２間の軸Ｏを回動中心として回動する。
【００４３】
各回動アーム５４−１及び５４−２は、各ロック機構５６−１及び５６−２を介して各固定部５２−１及び５２−２に軸支される基部５４ａ、基部５４ａの後端部から基部５４ａと連続して形成されて後側座部３０の後端３４側に向かって起立して傾斜する起立部５４ｂを有する。
【００４４】
この起立部５４ｂは、後側座部３０の裏面３２ｂに取り付けられており、各回動アーム５４−１及び５４−２が後側座部３０の座幅方向の両端で後側座部３０の前後方向に伸長している。
【００４５】
各回動アーム５４−１及び５４−２における起立部５４ｂの後端部の間には、後側座部３０の座幅方向に伸長する丸棒状の把持部５８が架設されている。
【００４６】
各ロック機構５６−１及び５６−２は、各回動アーム５４−１及び５４−２を複数の回動位置（回動角度）でロック可能に形成された機械式であり、例えば、各回動アーム５４−１及び５４−２を上方向に回動させることによって、各回動アーム５４−１及び５４−２が任意の回動角度において固定される。一方、各回動アーム５４−１及び５４−２を上方向にいったん回動させた後に下方向に押動させることによって、任意の回動角度で固定された各回動アーム５４−１及び５４−２の固定が解除される。
【００４７】
上記構成の後側座部回動機構５０を備えた座部構造２０は、本実施の形態では、図１で示すように、後側座部３０を、臀部後部を後方から支持する支持位置を５つの支持位置に変位させて固定させるように構成されている。
【００４８】
具体的には、後側座部３０の座面３２ａと前側座部４０の座面４２ａとがほぼ面一となる後側座部３０の下限位置を基準位置Ｐ０とし、この基準位置Ｐ０から上方向に順次移行する支持位置Ｐ１〜Ｐ５において、後側座部３０が上下方向に変位されて固定される。
【００４９】
次に、上記構成の座部構造２０を有する椅子１０の概略を、図３及び図４を用いて説明する。
【００５０】
図３は、椅子１０の概略を説明する図であり、図４は、椅子１０を下方からみた図である。図３及び図４で示すように、椅子１０は、座部構造２０、座部構造２０を支持する脚部１２及び座枠１４、脚部１２及び座枠１４の上方に位置する肘掛部１６、１６及び背もたれ部１８を備え、一般的にはいわゆるダイニングチェアと称される形態を有している。
【００５１】
脚部１２は、木製の角材で形成された前脚部１２Ａ、１２Ａ及び後脚部１２Ｂ、１２Ｂによって構成されている。前脚部１２Ａ、１２Ａの上部は肘木１６Ａ、１６Ａとして構成され、後脚部１２Ｂ、１２Ｂの上部は、後方向Ｒに若干折曲した背柱１８Ａ、１８Ａとして構成されている。
【００５２】
座枠１４は、前脚部１２Ａ、１２Ａの間を連結する前座枠１４Ａ、前脚部１２Ａ、１２Ａと後脚部１２Ｂ、１２Ｂとの間を連結する側座枠１４Ｂ、１４Ｂ、及び後脚部１２Ｂ、１２Ｂの間を連結する後座枠１４Ｃを主要構成として備える。
【００５３】
この座枠１４は、更に、前座枠１４Ａと各側座枠１４Ｂ、１４Ｂとの間にそれぞれ架設されて座枠１４を補強する隅木１４Ｄ、１４Ｄを備えるとともに、側座枠１４Ｂ、１４Ｂの間に架設された横木１４Ｅを備える。
【００５４】
肘掛部１６は、前脚部１２Ａ、１２Ａから連続して形成された肘木１６Ａ、１６Ａ、及び肘木１６Ａ、１６Ａの上端部と背柱１８Ａ、１８Ａとの間に略水平に架設された略平板状の肘掛板１６Ｂによって構成される。
【００５５】
背もたれ部１８は、後脚部１２Ｂ、１２Ｂから連続して形成された背柱１８Ａ、１８Ａ、及び背柱１８Ａ、１８Ａの上端側において背柱１８Ａ、１８Ａの間に架設された背板１８Ｂによって構成される。背板１８Ｂは、本実施の形態では、胸椎の下部に配置されるように背柱１８Ａ、１８Ａの間に設けられており、その中央部分が凹状に湾曲して着座者の背部に適合するように形成されている。
【００５６】
この背もたれ部１８は、上述のように、背柱１８Ａ、１８Ａが、後方向Ｒに向かって若干折曲して形成されている。具体的には、図１で示すように、鉛直線Ｃから後方向Ｒに向かって変位して背板１８Ｂの中央部分が傾斜線Ｌの位置となるように設定されている。この傾斜線Ｌと椅子１０が載置される床面とのなす角度（背もたれ角度）は、本実施の形態では１０５°となるように設定されている。
【００５７】
なお、この背もたれ角度は、いわゆるダイニングチェアの形態を有する一般的な椅子で多く採用されている角度である。
【００５８】
椅子１０の座部として用いられる座部構造２０は、座枠１４に取り付けられて、脚部１２及び座枠１４によって支持される。具体的には、座枠１４の各側座枠１４Ｂ、１４Ｂの内側に設けられた取付部１９に、後側座部回動機構５０の各固定部５２−１及び５２−２がボルト等によって取り付けられる。
【００５９】
これにより、後側座部３０は、その後端３４と背もたれ部１８の背板１８Ｂとの間に間隙を介して座枠１４に取り付けられる。一方、後側座部３０は、この後側座部３０の前側に設定された座幅方向の軸Ｏを中心として回動し、回動した位置において固定可能に構成される。
【００６０】
前側座部４０は、座枠１４の各側座枠１４Ｂ、１４Ｂの間に架設された横木１４Ｅに取付支持される。
【００６１】
次に、本実施の形態に係る椅子１０に着座する場合について説明する。図５は、椅子１０に人１１０が着座した場合の概略を説明する図である。図示のように、座部構造２０の後側座部３０は、例えば、基準位置Ｐ０から上方向に回動された支持位置Ｐ１に変位されて固定されている。
【００６２】
後側座部３０を上下方向に回動させてその支持位置を変位させる場合には、各回動アーム５４−１及び５４−２の後端部の間に架設された把持部５８を把持して容易に回動させることができる。
【００６３】
後側座部３０が支持位置Ｐ１に固定された状態で人１１０が椅子１０に着座すると、臀部１１２の後部が後側座部３０に後方から支持され、臀部１１２の前部及び大腿部１３０が、前側座部４０に支持される。
【００６４】
このとき、後側座部３０によって、骨盤１１８の仙骨１１８ａが臀部１１２の後方から押されて支持されることから、人１１０が椅子１０に着座する際には、後側座部３０の支持位置Ｐ１に臀部１１２の後部を適合させるように座位姿勢の変更が促される。従って、臀部筋群１１２ａの伸長及びハムストリングス１１６等の伸長が抑制され、臀部１１２に位置する骨盤１１８の上部の後方回転が抑制される。これにより、骨盤１１８に連係する脊椎１２０の腰椎１２２が前彎した状態を保持することができる。
【００６５】
一方、前側座部４０の座面４２ａは、座面高が前側座部４０の後端４４から前端４６に移行するに従って漸次低下して形成されていることから、座位姿勢において大腿部１３０が前方に向かって傾斜して、人１１０の上体が自然な状態で前傾することになる。
【００６６】
従って、上体が前傾した状態で、後側座部３０によって臀部１１２の後部が臀部１１２の後部の後方から押されて支持されることから、骨盤１１８の上部の後方への回転を効果的に抑制することができ、人１１０が椅子１０に自然に着座した場合であっても、座位姿勢における腰椎１２２の前彎を保持することができる。
【００６７】
その結果、腰椎１２２を構成する椎骨の間の椎間板にかかる負荷を少なくした正常状態とすることができる。これにより、腰痛や椎間板ヘルニアの発症を抑制することができる。
【００６８】
後側座部３０による臀部１１２の上部の支持位置は、後側座部回動機構５０によって、基準位置Ｐ０及び支持位置Ｐ１〜Ｐ５の複数の支持位置に変位して固定することができることから、着座者の体型あるいは体格に対応した臀部１１２の支持を行うことができる。
【００６９】
しかも、後側座部回動機構５０は、各回動アーム５４−１及び５４−２の後端部の間に架設された丸棒状の把持部５８を備えることから、後側座部３０の後端３４と背もたれ部１８の背板１８Ｂとの間の間隙からこの把持部５８を容易に把持することができ、着座したままの状態であっても後側座部３０の支持位置の変位を容易に行うことができる。
【００７０】
後側座部３０の座面３２ａ及び前側座部４０の座面４２ａは、その中央部分が凹状に湾曲して形成されていることから、着座者が着座した場合にその臀部１１２と座面３２ａ、４２ａとが良好に適合する。従って、後側座部３０によって臀部１１２の後部が押されて支持されても、着座時の違和感が緩和されて、良好な座り心地が確保される。
【００７１】
背もたれ部１８は、その背板１８Ｂが脊椎１２０の胸椎１２６の下部に配置されることから、人１１０の自発的な動作による腰椎１２２の前彎及び後彎運動を妨げることがない。従って、長時間に亘って同一の座位姿勢が保持されることによる腰椎１２２近傍の筋肉の柔軟性の低下や、血液循環の悪化による腰痛等の発症を防止することができる。
【００７２】
さらに、背もたれ部１８は、一般的なダイニングチェアで多く採用されている所定の背もたれ角度を有して鉛直から椅子１０の後方向Ｒに変位して形成されていることから、不快感がなく良好な座り心地を得ることができる。
【００７３】
なお、本発明は上記実施の形態に限定されることはなく、発明の趣旨を逸脱しない範囲で種々変更可能である。上記実施の形態では、座部構造２０がいわゆるダイニングチェアの形態を有する椅子１０として構成された場合を例として説明したが、事務作業用のいわゆるデスクチェアの形態を有する椅子として構成してもよく、さらには、座部構造２０をそのまま座椅子として構成してもよい。
【００７４】
上記実施の形態では、後側座部回動機構５０は、基準位置Ｐ０及び支持位置Ｐ１〜Ｐ５の複数の支持位置に変位して固定するように構成されている場合を説明したが、例えば、臀部１１２の支持位置を無段階で変位できる無段式の後側座部回動機構として構成してもよい。
【符号の説明】
【００７５】
１０    椅子
１２    脚部
１４    座枠
１８    背もたれ部
２０    座部構造
３０    後側座部
３２ａ    座面
３６    前端
４０    前側座部
４２ａ    座面
４４    後端（後側）
４６    前端（前側）
５０    後側座部回動機構
５２−１、５２−２    固定部
５４−１、５４−２    回動アーム
５６−１、５６−２    ロック機構
５８    把持部
１１０    人
１１２    臀部
１１８    骨盤
１２２    腰椎
１２４    椎間板
Ｐ１〜Ｐ５    支持位置
【図１】
0005635572.tif 000002
【図２】
0005635572.tif 000003
【図３】
0005635572.tif 000004
【図４】
0005635572.tif 000005
【図５】
0005635572.tif 000006
【図６】
0005635572.tif 000007
【図７】
0005635572.tif 000008
【図８】
0005635572.tif 000009
【図９】
0005635572.tif 000010